(57)【要約】【課題】液晶表示素子の動作特性の変化に対して最適な表示を行うことができる液晶表示装置を提供する。【解決手段】液晶表示素子２１の背面側に各々発光色が異なる複数のＬＥＤ２２ａ〜２２ｃを配置した照明部を備え、ＬＥＤ２２ａ〜２２ｃと液晶表示素子２１との駆動タイミングを対応させて、複数の表示色を発生する液晶表示装置１は、液晶表示素子２１の温度を検出する温度センサ４と、温度センサ４の検出温度に基づいて、液晶表示素子２１を駆動するときに光透過率が所定レベルに上昇するまでの立ち上がり応答時間(τr)と、駆動を停止するときに光透過率が所定レベルに下降するまでの立ち下がり応答時間(τd)とを特定するＭＣＵ３１とを備え、立ち上がり応答時間(τr)と立ち下がり応答時間(τd)のいずれか一方または両方に基づいて、ＬＥＤ２２ａ〜２２ｃの駆動タイミングを決定する。【選択図】図１
2008249876.tif 000002
【特許請求の範囲】
【請求項１】
液晶表示素子の背面側に各々発光色が異なる複数の発光素子を配置した照明部を備え、前記複数の発光素子と前記液晶表示素子との駆動タイミングを対応させて、複数の表示色を発生する液晶表示装置において、
前記液晶表示素子の温度を検出する温度検出手段と、
前記温度検出手段の検出温度に基づいて、前記液晶表示素子を駆動するときに光透過率が所定レベルに上昇するまでの立ち上がり応答時間と、駆動を停止するときに光透過率が所定レベルに下降するまでの立ち下がり応答時間とを特定する応答時間特定手段とを備え、
前記特定した立ち上がり応答時間と立ち下がり応答時間のいずれか一方または両方に基づいて、前記複数の発光素子の駆動タイミングを決定することを特徴とする液晶表示装置。
【請求項２】
請求項１記載の液晶表示装置において、
前記複数の発光素子の駆動タイミングとして、一の発光素子の駆動を停止させてから、前記立ち下がり応答時間(τd)から前記立ち上がり応答時間(τr)を減算した時間間隔(τd-τr)をとって、次の発光素子の駆動を行うことを特徴とする液晶表示装置。
【請求項３】
請求項１又は２記載の液晶表示装置において、
前記複数の発光素子は、前記立ち上がり応答時間と前記立ち下がり応答時間とのいずれか一方または両方に基づいて、光出力値を変化させることを特徴とする液晶表示装置。
【請求項４】
請求項１乃至３のいずれか１項記載の液晶表示装置において、
応答時間特定手段は、前記検出温度と前記立ち上がり応答時間及び立ち下がり応答時間の関係を規定したデータテーブルに基づいて、該立ち上がり応答時間及び立ち下がり応答時間を特定することを特徴とする液晶表示装置。
【発明の詳細な説明】
【技術分野】
【０００１】
本発明は、液晶表示素子（ＬＣＤ）、特にフィールドシーケンシャル方式の液晶表示素子を用いた液晶表示装置に関する。
【背景技術】
【０００２】
従来、液晶表示装置をカラー表示するための手法としては、例えば、ＴＦＴ液晶のようなカラーフィルタを用いたものが知られている。カラーフィルタを用いた液晶表示装置では、白色光のバックライトを用いて、光の３原色である赤色、緑色及び青色のカラーフィルタを備えた液晶セルにバックライトの白色光を選択的に透過させることによりカラー表示を行う。しかし、かかる液晶表示装置では、白色光から特定波長域の光を取り出すため、光の利用効率が悪いことに加え、１つのセルは、その部分のカラーフィルタに対応した色の表示しかできず解像度を高めることが困難となる。また、カラーフィルタを用いるために、液晶表示装置の製造コストも高くなる。
【０００３】
そこで、近年、カラー液晶表示装置として、フィールドシーケンシャル液晶表示装置が提案されている（特許文献１及び２参照）。フィールドシーケンシャル液晶表示装置は、光の３原色を順次発光するバックライト光源と、バックライト光源の発光に同期して画像を表示する液晶表示素子とから構成されている。かかるフィールドシーケンシャル液晶表示装置では、３原色のバックライト光源を順次発光させる動作を繰り返しながら、光源の発光するタイミングに合わせて液晶表示素子のオン、オフを行うことにより、人間の目の時間に対する積分能力を利用して、一つの表示画素で様々な表示色を表示させる。
【０００４】
具体的に、フィールドシーケンシャル液晶表示素子の表示方法を図５のタイミングチャートを用いて説明する。上記３原色の光源は、同図に示すようにＲ（赤）、Ｇ（緑）、Ｂ（青）の順番で発光する動作を繰り返している。それぞれの発光色の間にいずれの光源も発光しない期間が存在するが、これはその期間に液晶表示素子のオン、オフ動作を行うための遷移期間Ｔtである。
【０００５】
図５の（ａ）、（ｂ）、（ｃ）に示すように、３色の光源の内いずれか一色に対応した期間のみ液晶表示素子を透過状態にすれば、Ｒ（赤）、Ｇ（緑）およびＢ（青）のいずれかの色を表示することができ、同図の（ｄ）、（ｅ）、（ｆ）に示すように、３色の光源の内いずれか２色に対応した期間に液晶表示素子を透過状態にすれば、該２色が加法混色されるため、シアン（Ｃ）、マゼンタ（Ｍ）、イエロー（Ｙ）のいずれかの色を表示することができる。また、同図の（ｇ）に示すように、３色の光源の全てに対応した期間に液晶表示素子を透過状態にすれば、該３色が加法混色されるため、白色（Ｗ）を表示することができ、さらに、同図の（ｈ）に示すように、３色の光源のいずれの期間も液晶表示素子を遮光状態に保っておけば、いずれの光源の光も透過しないため、黒色（ＢＫ）を表示することができる。
【０００６】
このように、フィールドシーケンシャル法では、カラーフィルタを用いることなくカラー表示が可能となると共に、透過状態になるタイミングを調整することにより、一つの領域で複数の色表示が可能である。
【０００７】
しかしながら、液晶表示素子の応答速度には温度依存性があり、低温時における応答速度は遅くなるという傾向がある。フィールドシーケンシャル液晶表示装置における応答速度の遅れは、表示色の変化となって現れ、表示品位を低下させるという不都合を生ずる。
【０００８】
具体的には、低温時における液晶表示素子の応答速度が遅れると、その応答時間が大きくなる。そして、液晶表示素子の応答時間が、いずれの光源も発光しない遷移期間Ｔtよりも長くなると、図６に示すように、前後して発光する光源の表示色が混色してしまう。例えば、同図左側において、青色表示を行う液晶表示素子の応答時間が大きくなり、その応答時間が遷移期間Ｔtを超えると、青色表示セルの透過率が０％に戻る前に、次のＲ（赤色）光源の発光が開始されてしまい、図中のＴe期間で混色を起こしてしまう。同様に同図中央においては、赤色表示を行う液晶表示素子の応答時間が大きくなり、その応答時間が遷移期間Ｔtを超えると、赤色表示セルの透過率が０％に戻る前に、次のＧ（緑色）光源の発光が開始されてしまい、図中のＴe期間で混色を起こしてしまう。また、同図の右側において、緑色表示を行う液晶表示素子の応答時間が大きくなり、その応答時間が遷移期間Ｔtを超えると、緑色表示セルの透過率が０％に戻る前に、次のＢ（青色）光源の発光が開始されてしまい、図中のＴe期間で混色を起こしてしまう。
【０００９】
このような低温時における液晶表示素子の応答時間の遅れの問題を解決させるために、液晶パネルに温度測定手段及び抵抗加熱手段を設け、温度測定手段の測定温度が所定温度以下の場合には、抵抗加熱手段によって液晶を加熱するものがある（特許文献３及び４参照）。しかしながら、抵抗加熱手段によって液晶パネルを加熱するには、ヒ−タ−などの抵抗加熱手段を液晶表示装置に内蔵させなければならず、製造コストが嵩むと共に、液晶装置自体の小型化が困難となってしまう。
【００１０】
また、液晶表示素子の駆動電圧及びリセット電圧を温度によって変化させて応答時間の遅れを補うことも考えられるが（特許文献５及び６参照）、電圧を可変させる必要が生じ、制御回路が複雑となり製造コストが高くなってしまう。
【特許文献１】特開２００５−７０４２１号公報
【特許文献２】特開２００５−７０４４０号公報
【特許文献３】特開２００３−１３１３９１号公報
【特許文献４】特開平６−２５８６１９号公報
【特許文献５】特開平７−３１８９０４号公報
【特許文献６】特開２００６−２２７４５８号公報
【発明の開示】
【発明が解決しようとする課題】
【００１１】
そこで、本発明は、液晶表示素子の動作特性の変化に対して最適な表示を行うことができる液晶表示装置を提供することを目的とする。
【課題を解決するための手段】
【００１２】
本発明は、液晶表示素子の背面側に各々発光色が異なる複数の発光素子を配置した照明部を備え、前記複数の発光素子と前記液晶表示素子との駆動タイミングを対応させて、複数の表示色を発生する液晶表示装置において、前記液晶表示素子の温度を検出する温度検出手段と、前記温度検出手段の検出温度に基づいて、前記液晶表示素子を駆動するときに光透過率が所定レベルに上昇するまでの立ち上がり応答時間と、駆動を停止するときに光透過率が所定レベルに下降するまでの立ち下がり応答時間とを特定する応答時間特定手段とを備え、前記特定した立ち上がり応答時間と立ち下がり応答時間のいずれか一方または両方に基づいて、前記複数の発光素子の駆動タイミングを決定することを特徴とする。
【００１３】
本発明の液晶表示装置によれば、応答時間特定手段が、液晶表示素子の温度に基づいて、液晶表示素子の動作特性である、液晶表示素子を駆動するときに光透過率が所定レベルに上昇するまでの立ち上がり応答時間(τr)と、駆動を停止するときに光透過率が所定レベルに下降するまでの立ち下がり応答時間(τd)とを特定する。そして、かかる立ち上がり応答時間(τr)と立ち下がり応答時間(τd)のいずれか一方または両方に基づいて、複数の発光素子の駆動タイミングを決定する。
【００１４】
例えば、液晶表示素子の応答速度が遅れて、その立ち下がり応答時間(τd)がいずれの発光素子も駆動していない遷移期間(Ｔt)を超え得る場合には、立ち下がり応答時間(τd)に応じて遷移期間(Ｔt)を大きくして、次に駆動する発光素子の駆動タイミングを遅らせることができる。これにより、直前の発光で駆動した液晶表示素子の透過率が所定レベルに戻る前に、次の発光素子が駆動されて発光が開始されることを防止することができ、表示色が変化して表示品位を低下させることを回避することができる。このように本発明の液晶表示装置によれば、液晶表示素子の動作特性の変化に対して最適な表示を行うことができる。
【００１５】
本発明の液晶表示装置において、前記複数の発光素子の駆動タイミングは、一の発光素子の駆動を停止させてから、前記立ち下がり応答時間(τd)から前記立ち上がり応答時間(τr)を減算した時間間隔(τd−τr)をとって、次の発光素子の駆動を行うことが望ましい。
【００１６】
直前の発光で駆動した液晶表示素子の透過率が所定レベルに戻る前に、次の発光素子が駆動されて発光が開始されることによる表示色の混色を防止するためには、一の発光素子の駆動を停止させてから次の発光素子の駆動を行うまでの遷移期間(Ｔt)を立ち下がり応答時間(τd)だけ確保すればよい。一方で、遷移期間(Ｔt)を大きくすると、発光素子を駆動させておく発光時間が短くなってしまう。ここで、光透過率が所定レベルに上昇するまでの立ち上がり応答時間(τr)の間は、次の液晶表示素子を駆動しても、その駆動した液晶表示素子が表示に寄与することはない。そのため、立ち下がり応答時間(τd)から、立ち上がり応答時間(τr)だけ早く次の発光素子を駆動させることができる。すなわち、遷移期間(Ｔt)をＴt＝τd−τrとすることで、いずれの発光素子も駆動していない遷移期間(Ｔt)を最小としながら、表示色の混色を防止するこができ、良好な表示特性を実現することができる。
【００１７】
また、本発明の液晶表示装置において、前記立ち上がり応答時間(τr)と前記立ち下がり応答時間(τd)とのいずれか一方または両方に基づいて、前記複数の発光素子の光出力値を変化させることが好ましい。
【００１８】
液晶表示素子の応答時間(τr，τd)を考慮して前記遷移期間(Ｔt)を決定する場合には、応答時間(τd)が長くなるに従って遷移期間(Ｔt)も長くなり、結果として、１つの発光素子の発光時間が短くなってしまう。そこで、液晶表示素子の応答時間(τr，τd)に応じて、発光素子の光出力を変化させることで、液晶表示装置の表示輝度を一定とすることができる。
【００１９】
さらに、本発明の液晶表示装置において、応答時間特定手段は、前記検出温度と前記立ち上がり応答時間及び立ち下がり応答時間の関係を規定したデータテーブルに基づいて、該立ち上がり応答時間及び立ち下がり応答時間を特定することが好ましい。かかるデータテーブルに予め備えることによって、液晶表示素子の測定温度から、その立ち上がり応答時間(τr)と立ち下がり応答時間(τd)とを簡易な構成で特定することができる。
【発明を実施するための最良の形態】
【００２０】
図１に信号処理系のブロック図で示すように、本実施形態のフィールドシーケンシャル液晶表示装置１は、液晶表示モジュール２と、液晶表示モジュール２の表示全体を制御する制御部３と、応答時間特定手段を構成する温度検出手段としての温度センサ４を備える。
【００２１】
液晶表示モジュール２は、液晶表示素子２１と、液晶表示素子２１の背面側に配置された照明部としての発光素子２２とを備える。
【００２２】
液晶表示素子２１は、液晶分子が配列された液晶層を対向する２枚の基板間に狭持してなる液晶セルを有し、基板間に駆動電圧を印加又は遮光（ＯＮ／ＯＦＦ）することにより、発光素子２２から照射された光を透過又は遮光する。具体的に、液晶表示素子２１は、制御部３からの制御信号を受けた液晶駆動部５により所定の駆動電圧が生成されることのよって駆動される。
【００２３】
また、液晶表示素子２１の隣接する位置には、温度センサ４が設けられており、液晶表示素子２１の温度を測定して測定値を制御部３に出力する。
【００２４】
発光素子２２は、光の三原色に対応したＲ（赤）、Ｇ（緑）、Ｂ（青）の発光ダイオード（ＬＥＤ）２２ａ，２２ｂ，２２ｃからなる。ＬＥＤは、その応答速度が数ナノ秒(ｎｓｅｃ)であることから、発光素子としてＬＥＤを用いることで、Ｒ（赤）、Ｇ（緑）、Ｂ（青）の各色を時間分割して発光させて表示を行っても人の目に違和感のないカラー表示が実現できる。具体的に、各ＬＥＤ２２ａ〜２２ｃは、制御部３からの制御信号を受けたＬＥＤ駆動部６により所定の駆動電力が所定のタイミングで供給されることのよって駆動される。
【００２５】
制御部３は、液晶駆動部５及びＬＥＤ駆動部６の駆動を制御する制御信号を生成するＭＣＵ（Micro Control Unit）３１と、温度センサ４から出力された信号をＡ／Ｄ変換してＭＣＵ３１に取り込むＡ／Ｄコンバータ３２と、ＭＣＵ３１に取り込まれた液晶表示素子２１の測定温度から、液晶表示素子２１の応答時間を特定するためのデータテーブル等が記憶された記憶手段としてのＲＯＭ３３とを備える。ここで、ＭＣＵ３１は、ＲＯＭ３３のデータテーブルを参照して、液晶表示素子２１の測定温度に対応した液晶表示素子２１が駆動されたときに光透過率が所定レベルに上昇するまでの立ち上がり応答時間(τr)と、駆動が停止されたときに光透過率が所定レベルに下降するまでの立ち下がり応答時間(τd)とを特定する。立ち上がり応答時間(τr)の基準となる所定レベルの光透過率としては、例えば、光透過強度が０％から１０％に立ち上がるまでの時間を用いる。一方、立ち下がり応答時間(τd)の基準となる所定レベルの光透過率としては、例えば、光透過強度が１００％から１０％に立ち下がるまでの時間を用いる。
【００２６】
また、ＭＣＵ３１は、特定された応答時間に基づいて、いずれのＬＥＤ２２ａ，２２ｂ，２２ｃも駆動しない遷移期間(Ｔt)をＴt＝(τd−τr)とする制御信号を生成して、ＬＥＤ制御部６へ送信する。表示素子２１，２２の光透過強度が１００％から１０％に立ち下がるまでの間は、駆動を停止した表示素子２１，２２が表示に寄与することになるため、立ち下がり応答時間(τd)を遷移期間(Ｔt)としてもよい。一方で、表示素子２１，２２の光透過強度が０％から１０％に立ち上がるまでの間は、駆動した表示素子２１，２２が表示に寄与することはない。そのため、前後して発光するＬＥＤの表示色が混色することを回避する観点からは、立ち上がり応答時間(τr)だけ早く次の発光素子を駆動させることができ、遷移期間(Ｔt)をＴt＝(τd−τr)とすることができる。
【００２７】
次に、ＭＣＵ３１により特定された表示素子２１，２２の応答時間に応じて、本実施形態のフィールドシーケンシャル液晶表示装置１を作動させる場合について、タイミングチャートを用いて説明する。
【００２８】
まず、フィールドシーケンシャル液晶表示装置１の第１の作動態様について、図２に示すタイミングチャートを用いて説明する。
【００２９】
Ｒ（赤）、Ｇ（緑）、Ｂ（青）のＬＥＤ２２ａ，２２ｂ，２２ｃが順次１回ずつ発光する期間を１フレーム（Ｔf）、１フレーム(Ｔf)を各表示色毎に分割した期間をサブフレーム（Ｔs）とすると、図中下段に示すように、サブフレーム（Ｔs）に対応して赤色ＬＥＤ２２ａ、緑色ＬＥＤ２２ｂ、青色ＬＥＤ２２ｃがそれぞれ１回発光すると共に、図中中段に示すように、それに対応した液晶表示素子２１の駆動が行われる。
【００３０】
具体的に、第１の態様における液晶表示素子２１の駆動タイミングおよび各ＬＥＤ２２ａ，２２ｂ，２２ｃの駆動タイミング（発光タイミング）は、図の左側より、表示色が赤色のサブフレーム（Ｔs）に移行した時点で、赤色表示に対応する液晶表示素子２１を駆動させると同時に、直前に表示を行った青色表示に対応する液晶表示素子２１の駆動を停止させる。
【００３１】
このとき、赤色のサブフレーム（Ｔs）における赤色ＬＥＤ２２ａの駆動タイミングは、赤色のサブフレーム（Ｔs）に移行した時点（直前に表示を行った青色表示に対応する液晶表示素子２１の駆動を停止させた時点）から、立ち下がり応答時間（τd）だけ経過した後とする。
【００３２】
一方で、直前に表示を行った青色ＬＥＤ２２ｃは、赤色のサブフレーム（Ｔs）に移行した後も、立ち上がり応答時間（τr）だけは、赤色表示に対応する液晶表示素子２１を駆動させても、この表示素子２１が表示に寄与することはない。そのため、直前に表示を行った青色ＬＥＤ２２ｃの駆動は、赤色のサブフレーム（Ｔs）に移行した後、立ち上がり応答時間（τr）まで継続させる。この場合、青色ＬＥＤ２２ｃの駆動を停止させてから赤色ＬＥＤ２２ａの駆動を行うまでの遷移時間（Ｔf）は、Ｔt＝(τd−τr)であって、赤色表示において青色との混色を防止することができる。
【００３３】
同様に、図の中央に示すように、表示色が緑色のサブフレーム（Ｔs）に移行した時点で、緑色表示に対応する液晶表示素子２１を駆動させると同時に、直前に表示を行った赤色表示に対応する液晶表示素子２１の駆動を停止させる。そして、緑色のサブフレーム（Ｔs）における緑色ＬＥＤ２２ｂの駆動タイミングは、緑色のサブフレーム（Ｔs）に移行した時点（直前に表示を行った赤色表示に対応する液晶表示素子２１の駆動を停止させた時点）から、立ち下がり応答時間（τd）だけ経過後とする。一方で、直前に表示を行った赤色ＬＥＤ２２ａの駆動は、緑色のサブフレーム（Ｔs）に移行した後、立ち上がり応答時間（τr）まで継続させる。この場合、赤色ＬＥＤ２２ａの駆動を停止させてから緑色ＬＥＤ２２ｂの駆動を行うまでの遷移時間（Ｔf）は、Ｔt＝(τd−τr)であって、緑色表示において赤色との混色を防止することができる。
【００３４】
さらに同じく、図の右側に示すように、表示色が青色のサブフレーム（Ｔs）に移行した時点では、青色表示に対応する液晶表示素子２１を駆動させると同時に、直前に表示を行った緑色表示に対応する液晶表示素子２１の駆動を停止させる。そして、青色のサブフレーム（Ｔs）における青色ＬＥＤ２２ｃの駆動タイミングは、青色のサブフレーム（Ｔs）に移行した時点（直前に表示を行った緑色表示に対応する液晶表示素子２１の駆動を停止させた時点）から、立ち下がり応答時間（τd）だけ経過後とする。一方で、直前に表示を行った緑色ＬＥＤ２２ｂの駆動は、青色のサブフレーム（Ｔs）に移行した後、立ち上がり応答時間（τr）まで継続させる。この場合、緑色ＬＥＤ２２ｂの駆動を停止させてから青色ＬＥＤ２２ｃの駆動を行うまでの遷移時間（Ｔf）は、Ｔt＝(τd−τr)であって、青色表示において緑色との混色を防止することができる。
【００３５】
次に、フィールドシーケンシャル液晶表示装置１の第２の作動態様について、図３に示すタイミングチャートを用いて説明する。
【００３６】
具体的に、第２の態様における液晶表示素子２１の駆動タイミングおよび各ＬＥＤ２２ａ，２２ｂ，２２ｃの駆動タイミング（発光タイミング）は、図の左側より、表示色が赤色のサブフレーム（Ｔs）に移行する時点から立ち下がり応答時間（τd）だけ前に、赤色表示に対応する液晶表示素子２１を駆動させると同時に、赤色ＬＥＤ２２ａを駆動させる。ここで、赤色のサブフレーム（Ｔs）に移行する前から、赤色表示に対応する液晶表示素子２１を駆動させているが、立ち上がり応答時間（τr）の間は、この表示素子２１が表示に寄与することはない。
【００３７】
そして、赤色のサブフレーム（Ｔs）の終了から立ち下がり応答時間（τd）だけ前に、赤色表示に対応する液晶表示素子２１の駆動を停止させると同時に、赤色ＬＥＤ２２ａの駆動を停止させる。これにより、次の緑色のサブフレーム（Ｔs）に入る前に、赤色表示に対応する液晶表示素子２１の透過光を一定のレベルまで減少させておくことができる。
【００３８】
次に、図の中央に示すように、表示色が緑色のサブフレーム（Ｔs）に移行する時点から立ち下がり応答時間（τd）だけ前に、緑色表示に対応する液晶表示素子２１を駆動させると同時に、緑色ＬＥＤ２２ｂを駆動させる。そして、緑色のサブフレーム（Ｔs）の終了から立ち下がり応答時間（τd）だけ前に、緑色表示に対応する液晶表示素子２１の駆動を停止させると同時に、緑色ＬＥＤ２２ｂの駆動を停止させる。これにより、次の青色のサブフレーム（Ｔs）に入る前に、緑色表示に対応する液晶表示素子２１の透過光を一定のレベルまで減少させておくことができる。
【００３９】
さらに、同様に、図の右側に示すように、表示色が青色のサブフレーム（Ｔs）に移行する時点から立ち下がり応答時間（τd）だけ前に、青色表示に対応する液晶表示素子２１を駆動させると同時に、青色ＬＥＤ２２ｂを駆動させる。そして、青色のサブフレーム（Ｔs）の終了から立ち下がり応答時間（τd）だけ前に、青色表示に対応する液晶表示素子２１の駆動を停止させると同時に、青色ＬＥＤ２２ｃの駆動を停止させる。これにより、次の赤色のサブフレーム（Ｔs）に入る前に、青色表示に対応する液晶表示素子２１の透過光を一定のレベルまで減少させておくことができる。
【００４０】
この第２の態様においても、直前ＬＥＤの駆動を停止させてから次のＬＥＤの駆動を行うまでの遷移時間（Ｔf）は、Ｔt＝(τd−τr)となる。ここで、各ＬＥＤ２２ａ，２２ｂ，２２ｃの駆動タイミングを各サブフレーム（Ｔs）に移行した時点（この場合Ｔt＝τd）にしてもよいが、表示輝度を確保するためには、混色を起こさない範囲で各ＬＥＤ２２ａ，２２ｂ，２２ｃの駆動時間を長く保つのがよい。
【００４１】
尚、上述の第１及び第２の作動態様において、立ち上がり応答時間（τr）及び立ち下がり応答時間（τd）としては、事前に測定された温度センサ４の出力値からＭＣＵ３１が特定したものを用いてもよいが、液晶表示素子２１の動作特性に基づく最適な表示を行うためには、フレーム毎（Ｔf）又は数フレーム（Ｔf）に１回、温度センサ４の測定を行うことにより特定された最新の応答時間（τr，τｆ）を用いるのがよい。
【００４２】
また、上述の第１及び第２の作動態様において、各ＬＥＤ２２ａ，２２ｂ，２２ｃの発光強度は、応答時間（τr，τｆ）に関わらず一定の値となっているが、立ち上がり応答時間（τr）及び立ち下がり応答時間（τd）に応じて、その光出力値を変化させるようにしてもよい。立ち下がり応答時間（τd）が大きくなると、相対的に、各サブフレーム当たりのＬＥＤ２２ａ，２２ｂ，２２ｃの駆動期間が小さくなり、表示輝度が小さくなる可能性がある。そこで、各ＬＥＤ２２ａ，２２ｂ，２２ｃの駆動期間とＬＥＤに通電する電流値を掛け合わせた値が一定となるように、ＭＣＵ３１がＬＥＤ駆動部６を制御するようにしてもよい。
【００４３】
また、サブフレームに対するＬＥＤ２２ａ，２２ｂ，２２ｃの駆動期間に応じた所定の閾値を設定して、その光出力値を段階的に大きくするようにしてもよい。例えば、各ＬＥＤ２２ａ，２２ｂ，２２ｃをそれぞれ複数設けて、その駆動期間がサブフレームの１／２以下となる場合には、ＬＥＤの光出力値が１．５倍となるように、各ＬＥＤ２２ａ，２２ｂ，２２ｃのうちの所定数を駆動させ、駆動期間がサブフレームの１／３以下となる場合には、ＬＥＤの光出力値が２倍となるように各ＬＥＤ２２ａ，２２ｂ，２２ｃのうちの所定数を駆動させるようにしてもよい。
【００４４】
また、本発明の液晶表示装置は、ディスプレイやインターフェイスとして、例えば、車両や事務機器、家庭用電化製品、医療機器、測定機器などの電子機器に搭載することができ、表示品位の高い情報表示手段を安価に提供することができる。
【図面の簡単な説明】
【００４５】
【図１】本実施形態の液晶表示装置の構成を示す図。
【図２】本実施形態の液晶表示装置の作動を示すタイミングチャート。
【図３】他の態様におけるタイミングチャート。
【図４】従来のフィールドシーケンシャル液晶装置の作動を示すタイミングチャート。
【図５】図４の一部を拡大した詳細図。
【符号の説明】
【００４６】
１…フィールドシーケンシャル液晶表示装置、２…液晶表示モジュール２、３…制御部、４…温度センサ（温度測定手段）、５…液晶駆動部、６…ＬＥＤ駆動部、７…プリズムシート、２１…液晶表示素子、２２…ＬＥＤ（発光素子）、２３…応答時間測定用表示素子、３１…ＭＣＵ、３２…Ａ／Ｄコンバータ、３３…ＲＯＭ（記憶手段）。
【図１】
2008249876.tif 000003
【図２】
2008249876.tif 000004
【図３】
2008249876.tif 000005
【図４】
2008249876.tif 000006
【図５】
2008249876.tif 000007